【手続補正書】
【提出日】平成22年3月1日(2010.3.1)
【手続補正１】
【補正対象書類名】特許請求の範囲
【補正対象項目名】全文
【補正方法】変更
【補正の内容】
【特許請求の範囲】
【請求項１】
ユーザが選択したチャンネルの放送に係る映像データを受信する放送受信手段と、前記放送受信手段で受信した映像データを蓄積可能な第１蓄積手段とを有する放送受信装置において、
ユーザが前記放送受信装置から離席することを示す離席情報を受信する受信手段と、
前記受信手段が受信した前記離席情報を保持する保持手段と、
前記受信手段が前記離席情報を受信したことに応じて、ユーザが選択していたチャンネルの映像データを、前記第１蓄積手段に蓄積させる制御を行う第１制御手段と、
前記離席情報を保持する放送受信装置を検索するコマンドを、他の放送受信装置から受けたことに応じて、前記保持手段が保持する前記離席情報を前記他の放送受信装置に通知し、前記放送受信装置と前記他の放送受信装置との間でデータ転送可能な接続状態を確立する接続手段と、
前記接続手段により、前記他の放送受信装置と前記放送受信装置との間でデータ転送可能な接続状態が確立されたことに応じて、前記ユーザが選択していたチャンネルを示す視聴情報、及び前記第１制御手段により前記第１蓄積手段に蓄積された映像データを、前記他の放送受信装置に転送する転送手段と、を有することを特徴とする放送受信装置。
【請求項２】
前記接続手段により、前記他の放送受信装置と前記放送受信装置との間でデータ転送可能な接続状態が確立されたことに応じて、前記他の放送受信装置に映像データを蓄積する第２蓄積手段があるか否かを判定する判定手段と、
前記判定手段により、前記他の放送受信装置に第２蓄積手段があると判定された場合、前記視聴情報が示すチャンネルの放送に係る映像データを、前記第２蓄積手段に蓄積させる制御を行う第２制御手段とを有し、
前記第２蓄積手段が前記映像データの蓄積を開始したことを示す蓄積開始情報を、前記第１制御手段が前記他の放送受信装置から受け取ったことに応じて、前記第１制御手段は前記映像データの前記第１蓄積手段への蓄積を終了させる制御を行うことを特徴とする請求項１に記載の放送受信装置。
【請求項３】
前記判定手段により、前記他の放送受信装置に第２蓄積手段がないと判定された場合、前記第１制御手段は、前記放送受信手段で受信した映像データを前記第１蓄積手段に蓄積する制御を継続することを特徴とする請求項２に記載の放送受信装置。
【請求項４】
ユーザが選択したチャンネルの放送に係る映像データを受信する放送受信手段を有する放送受信装置において、
ユーザの入力により、前記放送受信装置と異なる放送受信装置を、離席先の放送受信装置とすることを示す離席先情報を受信する受信手段と、
前記受信手段が前記離席先情報を受信したことに応じて、前記放送受信装置と前記離席先の放送受信装置との間でデータ転送可能な接続状態を確立する接続手段と、
前記接続手段により、前記離席先の放送受信装置と前記放送受信装置との間でデータ転送可能な接続状態が確立されたことに応じて、ユーザが選択していたチャンネルを示す視聴情報を、前記離席先の放送受信装置に転送する転送手段と、
前記離席先の放送受信装置に、映像データを蓄積する蓄積手段がある場合は、前記転送手段が転送した前記視聴情報が示すチャンネルの映像データを、前記蓄積手段に蓄積させる制御を行う制御手段とを有することを特徴とする放送受信装置。
【請求項５】
ユーザが選択したチャンネルの放送に係る映像データを受信する放送受信手段をそれぞれ有する第１放送受信装置及び第２放送受信装置から成る放送受信システムにおいて、
前記第１放送受信装置は、
前記第１放送受信装置の前記放送受信手段で受信した映像データを蓄積可能な第１蓄積手段と、
ユーザが前記放送受信装置から離席することを示す離席情報を受信する第１受信手段と、
前記第１受信手段が受信した前記離席情報を保持する保持手段と、
前記第１受信手段が前記離席情報を受信したことに応じて、ユーザが選択していたチャンネルの映像データを、前記第１蓄積手段に蓄積させる制御を行う第１制御手段と、
前記離席情報を受信した放送受信装置を検索するコマンドを、前記第２放送受信装置から受けたことに応じて、前記保持手段が保持する前記離席情報を前記第２放送受信装置に通知し、前記第１放送受信装置と前記第２放送受信装置との間でデータ転送可能な接続状態を確立する第１接続手段と、
前記第１接続手段により、前記第１放送受信装置と前記第２放送受信装置との間でデータ転送可能な接続状態が確立されたことに応じて、前記ユーザが選択していたチャンネルを示す視聴情報、及び前記第１制御手段により前記第１蓄積手段に蓄積された映像データを、前記第２放送受信装置に転送する転送手段とを有し、
前記第２放送受信装置は、
ユーザが前記第２放送受信装置を離席先の放送受信装置として決定したことを示す着席情報を受信する第２受信手段と、
前記第２受信手段が前記着席情報を受信したことに応じて、前記離席情報を保持する放送受信装置を検索するコマンドを前記第１放送受信装置に転送し、前記第１放送受信装置の前記保持手段が保持する前記離席情報を受け取ったことに応じて、前記第１放送受信装置と前記第２放送受信装置との間でデータ転送可能な接続状態を確立する第２接続手段と、
前記第１接続手段及び前記第２接続手段により、前記第１放送受信装置と前記第２放送受信装置との間でデータ転送可能な接続状態が確立されたことに応じて、前記第１放送受信装置の前記転送手段から転送された前記視聴情報及び前記映像データを受信する情報受信手段とを有することを特徴とする放送受信システム。
【請求項６】
前記第２放送受信装置は、前記第２放送受信装置の前記放送受信手段で受信した映像データを蓄積可能な第２蓄積手段と、
前記第２受信手段が前記着席情報を受信したことに応じて、前記転送手段から転送された前記視聴情報に応じた映像データを、前記第２蓄積手段に蓄積する制御を行う第２制御手段とを更に有し、
前記第２制御手段により前記第２蓄積手段で前記映像データの蓄積が開始されたことに応じて、前記第１制御手段は前記第１蓄積手段への映像データの蓄積を終了する制御を行うことを特徴とする請求項５に記載の放送受信システム。
【請求項７】
ユーザが選択したチャンネルの放送に係る映像データを受信する放送受信手段をそれぞれ有する第１放送受信装置及び第２放送受信装置から成る放送受信システムにおいて、
前記第１放送受信装置は、
前記第２放送受信装置を離席先の放送受信装置とすることを示す離席先情報を、ユーザの入力により受信する第１受信手段と、
前記第１受信手段が受信した前記離席先情報を保持する保持手段と、
前記受信手段が前記離席先情報を受信したことに応じて、前記第１放送受信装置と前記第２放送受信装置との間でデータ転送可能な接続状態を確立する第１接続手段と、
前記第１放送受信装置と前記第２放送受信装置との間で、前記第１接続手段によりデータ転送可能な接続状態が確立されたことに応じて、ユーザが選択していたチャンネルを示す視聴情報を前記第２放送受信装置に転送する転送手段と、
前記転送手段が転送した前記視聴情報が示すチャンネルの映像データを、前記第２放送受信装置に蓄積させる制御を行う第１制御手段とを有し、
前記第２放送受信装置は、
前記第１放送受信装置からの接続要求に応じて、前記第１放送受信装置と前記第２放送受信装置との間でデータ転送可能な接続状態を確立する第２接続手段と、
前記第１接続手段及び第２接続手段により、前記第１放送受信装置と前記第２放送受信装置との間でデータ転送可能な接続状態が確立されたことに応じて、前記第１放送受信装置の前記転送手段から転送された前記視聴情報及び前記映像データを受信する情報受信手段と、
前記第１制御手段によって、前記情報受信手段が受信した前記視聴情報が示すチャンネルの映像データの蓄積を開始する蓄積手段と、
ユーザが前記離席先の放送受信装置である前記第２放送受信装置に着いたことを示す着席情報を受信する第２受信手段と、
前記第２受信手段により、前記着席情報が受信されたことに応じて、前記蓄積手段に蓄積された映像データを表示部に表示させる制御を行う第２制御手段とを有することを特徴とする放送受信システム。
【請求項８】
ユーザが選択したチャンネルの放送に係る映像データを受信する放送受信手段と、前記放送受信手段で受信した映像データを蓄積可能な第１蓄積手段と、ユーザが放送受信装置から離席することを示す離席情報を受信する受信手段と、前記受信手段が受信した前記離席情報を保持する保持手段とを有する放送受信装置の制御方法において、
前記受信手段が前記離席情報を受信したことに応じて、ユーザが選択していたチャンネルの映像データを、前記第１蓄積手段に蓄積させる制御を行う第１制御ステップと、
前記離席情報を保持する放送受信装置を検索するコマンドを、他の放送受信装置から受けたことに応じて、前記保持手段が保持する前記離席情報を前記他の放送受信装置に通知し、前記放送受信装置と前記他の放送受信装置との間でデータ転送可能な接続状態を確立する接続ステップと、
前記接続ステップにおいて、前記他の放送受信装置と前記放送受信装置との間でデータ転送可能な接続状態が確立されたことに応じて、前記ユーザが選択していたチャンネルを示す視聴情報、及び前記第１制御ステップにおいて前記第１蓄積手段に蓄積された映像データを、前記他の放送受信装置に転送する転送ステップと、を有することを特徴とする放送受信装置の制御方法。
【請求項９】
ユーザが選択したチャンネルの放送に係る映像データを受信する放送受信手段をそれぞれ有する第１放送受信装置及び第２放送受信装置から成り、前記第１放送受信装置は前記第１放送受信装置の前記放送受信手段で受信した映像データを蓄積可能な第１蓄積手段と、ユーザが前記放送受信装置から離席することを示す離席情報を受信する第１受信手段と、前記第１受信手段が受信した前記離席情報を保持する保持手段とを有し、前記第２放送受信装置はユーザが前記第２放送受信装置を離席先の放送受信装置として決定したことを示す着席情報を受信する第２受信手段を有する放送受信システムの放送受信方法において、
前記第１受信手段が前記離席情報を受信したことに応じて、ユーザが選択していたチャンネルの映像データを、前記第１蓄積手段に蓄積させる制御を行う第１制御ステップと、
前記離席情報を受信した放送受信装置を検索するコマンドを、前記第２放送受信装置から受けたことに応じて、前記保持手段が保持する前記離席情報を前記第２放送受信装置に通知し、前記第１放送受信装置と前記第２放送受信装置との間でデータ転送可能な接続状態を確立する第１接続ステップと、
前記第１接続ステップにおいて、前記第１放送受信装置と前記第２放送受信装置との間でデータ転送可能な接続状態が確立されたことに応じて、前記ユーザが選択していたチャンネルを示す視聴情報、及び前記第１制御ステップにおいて前記第１蓄積手段に蓄積された映像データを、前記第２放送受信装置に転送する転送ステップと、
前記第２受信手段が前記着席情報を受信したことに応じて、前記離席情報を保持する放送受信装置を検索するコマンドを前記第１放送受信装置に転送し、前記第１放送受信装置の前記保持手段が保持する前記離席情報を受け取ったことに応じて、前記第１放送受信装置と前記第２放送受信装置との間でデータ転送可能な接続状態を確立する第２接続ステップと、
前記第１接続ステップ及び前記第２接続ステップにより、前記第１放送受信装置と前記第２放送受信装置との間でデータ転送可能な接続状態が確立されたことに応じて、前記転送ステップにおいて転送された前記視聴情報及び前記映像データを受信する情報受信ステップとを有することを特徴とする放送受信方法。
【手続補正２】
【補正対象書類名】明細書
【補正対象項目名】発明の名称
【補正方法】変更
【補正の内容】
【発明の名称】放送受信装置、放送受信システム、放送受信装置の制御方法、及び放送受信方法
【手続補正３】
【補正対象書類名】明細書
【補正対象項目名】０００１
【補正方法】変更
【補正の内容】
【０００１】
本発明は、放送受信装置、放送受信システム、放送受信装置の制御方法及び放送受信方法に関し、特に、ＩＥＥＥ１３９４を使った映像等の表示を行なうものに関する。
【手続補正４】
【補正対象書類名】明細書
【補正対象項目名】００１０
【補正方法】変更
【補正の内容】
【００１０】
本発明は、上述の問題点にかんがみてなされたものであり、ユーザがテレビジョン装置から離席し、離席先の他のテレビジョン装置で視聴を行なう場合でも、ユーザが離席先のテレビジョン装置の操作で戸惑うことなく、離席後の映像等を視聴することを可能とする放送受信装置、放送受信システム、放送受信装置の制御方法及び放送受信方法を提供することを目的とする。
【手続補正５】
【補正対象書類名】明細書
【補正対象項目名】００１１
【補正方法】変更
【補正の内容】
【００１１】
本発明の放送受信装置は、ユーザが選択したチャンネルの放送に係る映像データを受信する放送受信手段と、前記放送受信手段で受信した映像データを蓄積可能な第１蓄積手段とを有する放送受信装置において、ユーザが前記放送受信装置から離席することを示す離席情報を受信する受信手段と、前記受信手段が受信した前記離席情報を保持する保持手段と、前記受信手段が前記離席情報を受信したことに応じて、ユーザが選択していたチャンネルの映像データを、前記第１蓄積手段に蓄積させる制御を行う第１制御手段と、前記離席情報を保持する放送受信装置を検索するコマンドを、他の放送受信装置から受けたことに応じて、前記保持手段が保持する前記離席情報を前記他の放送受信装置に通知し、前記放送受信装置と前記他の放送受信装置との間でデータ転送可能な接続状態を確立する接続手段と、前記接続手段により、前記他の放送受信装置と前記放送受信装置との間でデータ転送可能な接続状態が確立されたことに応じて、前記ユーザが選択していたチャンネルを示す視聴情報、及び前記第１制御手段により前記第１蓄積手段に蓄積された映像データを、前記他の放送受信装置に転送する転送手段と、を有することを特徴とする。
また、本発明の放送受信装置の他の特徴とするところは、ユーザが選択したチャンネルの放送に係る映像データを受信する放送受信手段を有する放送受信装置において、ユーザの入力により、前記放送受信装置と異なる放送受信装置を、離席先の放送受信装置とすることを示す離席先情報を受信する受信手段と、前記受信手段が前記離席先情報を受信したことに応じて、前記放送受信装置と前記離席先の放送受信装置との間でデータ転送可能な接続状態を確立する接続手段と、前記接続手段により、前記離席先の放送受信装置と前記放送受信装置との間でデータ転送可能な接続状態が確立されたことに応じて、ユーザが選択していたチャンネルを示す視聴情報を、前記離席先の放送受信装置に転送する転送手段と、前記離席先の放送受信装置に、映像データを蓄積する蓄積手段がある場合は、前記転送手段が転送した前記視聴情報が示すチャンネルの映像データを、前記蓄積手段に蓄積させる制御を行う制御手段と、を有することを特徴とする。
【手続補正６】
【補正対象書類名】明細書
【補正対象項目名】００１２
【補正方法】変更
【補正の内容】
【００１２】
本発明の放送受信システムは、ユーザが選択したチャンネルの放送に係る映像データを受信する放送受信手段をそれぞれ有する第１放送受信装置及び第２放送受信装置から成る放送受信システムにおいて、前記第１放送受信装置は、前記第１放送受信装置の前記放送受信手段で受信した映像データを蓄積可能な第１蓄積手段と、ユーザが前記放送受信装置から離席することを示す離席情報を受信する第１受信手段と、前記第１受信手段が受信した前記離席情報を保持する保持手段と、前記第１受信手段が前記離席情報を受信したことに応じて、ユーザが選択していたチャンネルの映像データを、前記第１蓄積手段に蓄積させる制御を行う第１制御手段と、前記離席情報を受信した放送受信装置を検索するコマンドを、前記第２放送受信装置から受けたことに応じて、前記保持手段が保持する前記離席情報を前記第２放送受信装置に通知し、前記第１放送受信装置と前記第２放送受信装置との間でデータ転送可能な接続状態を確立する第１接続手段と、前記第１接続手段により、前記第１放送受信装置と前記第２放送受信装置との間でデータ転送可能な接続状態が確立されたことに応じて、前記ユーザが選択していたチャンネルを示す視聴情報、及び前記第１制御手段により前記第１蓄積手段に蓄積された映像データを、前記第２放送受信装置に転送する転送手段とを有し、前記第２放送受信装置は、ユーザが前記第２放送受信装置を離席先の放送受信装置として決定したことを示す着席情報を受信する第２受信手段と、前記第２受信手段が前記着席情報を受信したことに応じて、前記離席情報を保持する放送受信装置を検索するコマンドを前記第１放送受信装置に転送し、前記第１放送受信装置の前記保持手段が保持する前記離席情報を受け取ったことに応じて、前記第１放送受信装置と前記第２放送受信装置との間でデータ転送可能な接続状態を確立する第２接続手段と、前記第１接続手段及び前記第２接続手段により、前記第１放送受信装置と前記第２放送受信装置との間でデータ転送可能な接続状態が確立されたことに応じて、前記第１放送受信装置の前記転送手段から転送された前記視聴情報及び前記映像データを受信する情報受信手段とを有する、ことを特徴とする。
また、本発明の放送受信システムの他の特徴とするところは、ユーザが選択したチャンネルの放送に係る映像データを受信する放送受信手段をそれぞれ有する第１放送受信装置及び第２放送受信装置から成る放送受信システムにおいて、前記第１放送受信装置は、前記第２放送受信装置を離席先の放送受信装置とすることを示す離席先情報を、ユーザの入力により受信する第１受信手段と、前記第１受信手段が受信した前記離席先情報を保持する保持手段と、前記受信手段が前記離席先情報を受信したことに応じて、前記第１放送受信装置と前記第２放送受信装置との間でデータ転送可能な接続状態を確立する第１接続手段と、前記第１放送受信装置と前記第２放送受信装置との間で、前記第１接続手段によりデータ転送可能な接続状態が確立されたことに応じて、ユーザが選択していたチャンネルを示す視聴情報を前記第２放送受信装置に転送する転送手段と、前記転送手段が転送した前記視聴情報が示すチャンネルの映像データを、前記第２放送受信装置に蓄積させる制御を行う第１制御手段とを有し、前記第２放送受信装置は、前記第１放送受信装置からの接続要求に応じて、前記第１放送受信装置と前記第２放送受信装置との間でデータ転送可能な接続状態を確立する第２接続手段と、前記第１接続手段及び第２接続手段により、前記第１放送受信装置と前記第２放送受信装置との間でデータ転送可能な接続状態が確立されたことに応じて、前記第１放送受信装置の前記転送手段から転送された前記視聴情報及び前記映像データを受信する情報受信手段と、前記第１制御手段によって、前記情報受信手段が受信した前記視聴情報が示すチャンネルの映像データの蓄積を開始する蓄積手段と、ユーザが前記離席先の放送受信装置である前記第２放送受信装置に着いたことを示す着席情報を受信する第２受信手段と、前記第２受信手段により、前記着席情報が受信されたことに応じて、前記蓄積手段に蓄積された映像データを表示部に表示させる制御を行う第２制御手段とを有することを特徴とする。
【手続補正７】
【補正対象書類名】明細書
【補正対象項目名】００１３
【補正方法】変更
【補正の内容】
【００１３】
本発明の放送受信装置の制御方法は、ユーザが選択したチャンネルの放送に係る映像データを受信する放送受信手段と、前記放送受信手段で受信した映像データを蓄積可能な第１蓄積手段と、ユーザが放送受信装置から離席することを示す離席情報を受信する受信手段と、前記受信手段が受信した前記離席情報を保持する保持手段とを有する放送受信装置の制御方法において、前記受信手段が前記離席情報を受信したことに応じて、ユーザが選択していたチャンネルの映像データを、前記第１蓄積手段に蓄積させる制御を行う第１制御ステップと、前記離席情報を保持する放送受信装置を検索するコマンドを、他の放送受信装置から受けたことに応じて、前記保持手段が保持する前記離席情報を前記他の放送受信装置に通知し、前記放送受信装置と前記他の放送受信装置との間でデータ転送可能な接続状態を確立する接続ステップと、前記接続ステップにおいて、前記他の放送受信装置と前記放送受信装置との間でデータ転送可能な接続状態が確立されたことに応じて、前記ユーザが選択していたチャンネルを示す視聴情報、及び前記第１制御ステップにおいて前記第１蓄積手段に蓄積された映像データを、前記他の放送受信装置に転送する転送ステップとを有することを特徴とする。
【手続補正８】
【補正対象書類名】明細書
【補正対象項目名】００１４
【補正方法】変更
【補正の内容】
【００１４】
本発明の放送受信方法は、ユーザが選択したチャンネルの放送に係る映像データを受信する放送受信手段をそれぞれ有する第１放送受信装置及び第２放送受信装置から成り、前記第１放送受信装置は前記第１放送受信装置の前記放送受信手段で受信した映像データを蓄積可能な第１蓄積手段と、ユーザが前記放送受信装置から離席することを示す離席情報を受信する第１受信手段と、前記第１受信手段が受信した前記離席情報を保持する保持手段とを有し、前記第２放送受信装置はユーザが前記第２放送受信装置を離席先の放送受信装置として決定したことを示す着席情報を受信する第２受信手段を有する放送受信システムの放送受信方法において、前記第１受信手段が前記離席情報を受信したことに応じて、ユーザが選択していたチャンネルの映像データを、前記第１蓄積手段に蓄積させる制御を行う第１制御ステップと、前記離席情報を受信した放送受信装置を検索するコマンドを、前記第２放送受信装置から受けたことに応じて、前記保持手段が保持する前記離席情報を前記第２放送受信装置に通知し、前記第１放送受信装置と前記第２放送受信装置との間でデータ転送可能な接続状態を確立する第１接続ステップと、前記第１接続ステップにおいて、前記第１放送受信装置と前記第２放送受信装置との間でデータ転送可能な接続状態が確立されたことに応じて、前記ユーザが選択していたチャンネルを示す視聴情報、及び前記第１制御ステップにおいて前記第１蓄積手段に蓄積された映像データを、前記第２放送受信装置に転送する転送ステップと、前記第２受信手段が前記着席情報を受信したことに応じて、前記離席情報を保持する放送受信装置を検索するコマンドを前記第１放送受信装置に転送し、前記第１放送受信装置の前記保持手段が保持する前記離席情報を受け取ったことに応じて、前記第１放送受信装置と前記第２放送受信装置との間でデータ転送可能な接続状態を確立する第２接続ステップと、前記第１接続ステップ及び前記第２接続ステップにより、前記第１放送受信装置と前記第２放送受信装置との間でデータ転送可能な接続状態が確立されたことに応じて、前記転送ステップにおいて転送された前記視聴情報及び前記映像データを受信する情報受信ステップと、を有することを特徴とする。